(57)【要約】【課題】従来、動物実験施設等からの病原性微生物を含む悪臭のある排気を効果的に処理する装置は得られていない。【解決手段】本発明の気体の滅菌、脱臭装置においては、処理すべき気体を気密に密閉可能なフィルター収納ボックスに導入して処理し、この処理された気体に導入する。上記フィルター収納ボックス内には微小塵埃と病原性微生物のフィルターを介挿し、滅菌用のホルマリン蒸気注入手段と中和用のアンモニア蒸気注入手段を設ける。上記脱臭用ボックスには触媒フィルターを介挿し、この触媒フィルターの気体導入側にはオゾン注入手段または内部装備の酸素クラスターを設ける。臭気成分によりケミカルフィルターを用いる。【選択図】　図１
2004065307.tif 000002
【特許請求の範囲】
【請求項１】
処理すべき気体が導入される気密に密閉可能なフィルター収納ボックスと、このフィルター収納ボックスで処理された気体が導入される脱臭用ボックスとより成り、上記フィルター収納ボックス内には微小塵埃と病原性微生物用のフィルターが介挿され、滅菌用のホルマリン蒸気注入手段と中和用のアンモニア蒸気注入手段が設けられており、上記脱臭用ボックスには触媒フィルターが介挿され、この触媒フィルターの気体導入側にはオゾン注入手段または酸素クラスターが設けられていることを特徴とする気体の滅菌、脱臭装置。
【発明の詳細な説明】
【０００１】
【発明の属する技術分野】
本発明は気体の滅菌、脱臭装置、特に、病原性微生物を含む悪臭のある排気を効果的に処理するための気体の滅菌、脱臭装置に関するものである。
【０００２】
【従来の技術】
従来、動物実験・飼育施設や、病院・老健施設の医療産業廃棄物集積場からの排気が処理されずに一般大気に放出することにより、悪臭と大気汚染公害の主な要因になっている。さらに汚染したフィルター交換は、特殊作業を有する機器・装置であるために高価であるのが現状である。
【０００３】
【発明が解決しようとする課題】
然しながら、このような問題に対する有効な手段は現在得られていない。
【０００４】
本発明は上記の問題を解決するようにしたものである。
【０００５】
【課題を解決するための手段】
本発明の気体の滅菌、脱臭装置は、処理すべき気体が導入される気密に密閉可能なフィルター収納ボックスと、このフィルター収納ボックスで処理された気体が導入される脱臭用ボックスとより成り、上記フィルター収納ボックス内には微小塵埃と病原性微生物用のフィルターが介挿され、滅菌用のホルマリン蒸気注入手段と中和用のアンモニア蒸気注入手段が設けられており、上記脱臭用ボックスには触媒フィルターが介挿され、この触媒フィルターの気体導入側にはオゾン注入手段または酸素クラスターが設けられていることを特徴とする。
【０００６】
【発明の実施の形態】
以下図面によって本発明の実施例を説明する。
【０００７】
本発明においては図１に示すように処理すべき気体の導入ダクト１に開閉気密ダンパー２を介してフィルター収納ボックス３の気体導入口を接続し、上記フィルター収納ボックス３の気体導出口を開閉気密ダンパー４を介して脱臭用ボックス５の気体導入口に接続し、上記脱臭用ボックス５の気体導出口を外部に連通せしめる。フィルター収納ボックス３と脱臭用ボックス５を延長ダクトで接続し、別置することができる。
【０００８】
上記フィルター収納ボックス３内の上記気体導入口と気体導出口間には粗塵フィルター６と、中性能フィルター７と、及び超高性能フィルター８とをこの順で配置し、各フィルター６〜８の排気導入側と排気排出側間の差圧を夫々差圧計９〜１１により測定できるようにすると共に、上記脱臭用ボックス５にはこれらフィルター６〜８の点検及び交換用の扉１２と１３を設ける。
【０００９】
更に、上記フィルター収納ボックス３内には開閉気密ダンパー２と上記粗塵フィルター６間に原臭採集ノズル１４を設け、上記中性能フィルター７と超高性能フィルター８間には滅菌用のホルマリン蒸気注入ノズル１５と中和用のアンモニア蒸気注入ノズル１６とを設ける。
【００１０】
また、上記脱臭用ボックス５内には触媒フィルター１７と、この点検、交換用の扉１８と、上記触媒フィルター１７の排気導入側と排出側間の差圧を測定する差圧計１９とを設け、上記触媒フィルタ１７の排気導入側にオゾン配管挿入または酸素クラスター電源線併用口の注入口２０を設け、排気排出側に処理空気採集ノズル２１を開口せしめる。
【００１１】
なお、上記本発明の滅菌、脱臭装置を構成する壁部材には不透鋼（ＳＵＳ−３０４）か鋼板を使用する。内面を対薬品性のエポキシ樹脂等でコーティングするのが好ましい。
【００１２】
本発明の気体の滅菌、脱臭装置は上記のような構成であるからフィルター収納ボックス３内に導入ダクト１からの処理すべき気体を導入し、気体中の微小塵埃、病原性微生物を含む一般微生物をフィルター収納ボックス３内の各フィルター６〜８によって完全に捕捉した後、上記気体導入側のダンパー２および排気排出側のダンパー４を閉じ、フィルター収納ボックス３内を気密空間とする。
【００１３】
次いでこの空間内にホルマリン蒸気注入ノズル１５を介してホルマリン蒸気を注入し、各フィルター６〜８及びボックス内に付着した微生物を完全に滅菌し、更に、アンモニア蒸気注入ノズル１６を介してアンモニア蒸気を注入し、ホルマリン残留臭を中和せしめる。
【００１４】
次いでフィルター収納ボックス３の排気排出側のダンパー４を開き、排気を脱臭用ボックス５内に導入し、ここでオゾンまたは酸素クラスターによって悪臭物質を分解、消臭せしめる。
【００１５】
次いで排気中に残留したオゾンと臭気はオゾン触媒フィルター１７の分解作用によってオゾンは酸素に戻り、臭気は無臭になり大気に放出される。臭気成分によりケミカルフィルターを用いる。
【００１６】
なお、酸素クラスターとは酸素分子イオンが１０〜６０個集まった集合体であり、約３０００Ｖの電圧を持った生成管によって酸素分子が帯電させられるとき、酸素分子イオンとなって集合体（クラスター）を形成した状態のものを言う。＋イオンと−イオンを多数持ったまま、４０秒間ほど存在し、酸素クラスターが臭気分子を包み込み＋−イオンを付加すると、イオン分解反応を起し、数秒で二酸化炭素、水蒸気、窒素等に分解し、におい分子が容易にイオン化され、無臭の分子に分解する。クラスターは、ほぼ完全に酸素に戻る。細菌ら微生物は、有機物や、窒素を栄養分として増殖するが、酸素クラスターは微生物を包み込み気体中から落下させ、同時に窒素の供給を断ち生育条件を無くす。死滅した微生物は、酸素によりタンパク質に分解する。
【００１７】
各フィルター６〜８及び１７の交換時期は、各フィルターの圧力損失を夫々差圧計９〜１１及び１９により目視観察し、これにより交換時期を判断する。交換によって生じた不用フィルターは滅菌済の状態であり、一般産業廃棄物処理ができる。交換作業を安全、安価、迅速に点検扉を開放した状態で行え、機械室等への汚染を防ぎ、機械室から自然対流にて外部に流出しても、大気汚染を完全に防止できる。
【００１８】
本発明の気体の滅菌、脱臭装置は、下記の用途に用い得る。
【００１９】
１．排気側に利用
【００２０】
（１）　バイオ実験施設（病原性微生物、組替えＤＮＡ実験）、動物実験施設（感染実験含む）からの臭気並びに病原性微生物の排出制御。
【００２１】
（２）　病院らの感染病室、白血病治療室、悪性腫瘍治療室、それらに伴う臨床検査室らの臭気並びに病原性微生物の排出制御。
【００２２】
（３）　抗がん剤、生物製剤らの医薬品製造の臭気並びに病原性微生物の排出制御。
【００２３】
（４）　発酵・醸造工業の臭気並びに微生物の排出制御。
【００２４】
（５）　実験動物等の生産施設の臭気並びに微生物の排出制御。
【００２５】
（６）　その他、排気に臭気並びに病原性を含む微生物排出の恐れがある施設。
【００２６】
２．吸気側に利用
【００２７】
（１）　取り入れ外気が、微小塵埃、臭気及び微生物混入の除去を要するエレクトロニクス工業。
【００２８】
（２）　取り入れ外気が、微小塵埃、臭気及び微生物混入の除去を要するバイオ関連研究施設。
【００２９】
（３）　取り入れ外気が、微小塵埃、臭気及び微生物混入の除去を要する食品加工、発酵・醸造・レトルト食品・清涼飲料・和洋菓子・きのこ栽培・メリクロンら植物人工栽培・無菌食肉動物生産業らの生産、研究施設。
【００３０】
（４）　その他、給（または吸）気に微小塵埃、臭気並びに病原性微生物混入の恐れがある施設。
【００３１】
【発明の効果】
上記のように本発明の気体の滅菌、脱臭装置によれば排気または給気に含まれる一般微生物を完全に捕捉すると共に滅菌、脱臭できるようになる大きな利益がある。
【図面の簡単な説明】
【図１】本発明の気体の滅菌、脱臭装置の説明図である。
【符号の説明】
１　導入ダクト
２　開閉気密ダンパー
３　フィルター収納ボックス
４　開閉気密ダンパー
５　脱臭用ボックス
６　粗塵フィルター
７　中性能フィルター
８　超高性能フィルター
９　差圧計
１０　差圧計
１１　差圧計
１２　扉
１３　扉
１４　採集ノズル
１５　ホルマリン蒸気注入ノズル
１６　アンモニア蒸気注入ノズル
１７　触媒フィルター
１８　扉
１９　差圧計
２０　注入口
２１　採集ノズル
【図１】
2004065307.tif 000003